(57)【特許請求の範囲】
【請求項１】
カバー部と、
内部に電源が配置されたベース部と、
固定部材及び滑動部材を有するスライド機構と、を備え、
前記固定部材は、前記カバー部を前記ベース部に可動に装着することに用いられ、前記ベース部に固定され、
前記滑動部材は、前記カバー部に固定され且つ前記固定部材に可動に装着されてなるスライド式電子装置であって、
前記滑動部材及び前記固定部材は、互いに反発し合う磁場をそれぞれ生じる構成であり、それによって、前記固定部材に対して前記滑動部材を浮かし、
前記スライド機構は、前記滑動部材に固定され且つ前記電源に電気的に接続されるリニアモーターを更に備え、前記リニアモーターが通電されると、前記滑動部材を駆動して前記固定部材に対して滑動させ、
前記固定部材は、互いに平行な第一表面及び第二表面を備える薄板であり、前記固定部材の対向する２つの端部は、前記第二表面に向かって一の側へ湾曲して２つの平行するガイド溝を形成し、
前記滑動部材は、前記固定部材に対向する対向面を有し、前記滑動部材の対向する２つの辺部は、前記対向面に向かって他の側へ湾曲して、前記２つのガイド溝に対応する２つのスライドレールを形成し、前記滑動部材を前記固定部材の前記ガイド溝に沿って滑動させ、
前記固定部材の中央部分には、前記第二表面から前記第一表面へ向かって凹所が形成され、前記リニアモーターと対応する収容部を形成することを特徴とするスライド式電子装置。
【発明の詳細な説明】
【技術分野】
【０００１】
本発明は、スライド式電子装置に関し、特に磁気浮上式のスライド機構を備えた電子装置に関するものである。
【背景技術】
【０００２】
通信技術の急速な発展に伴い、携帯電話、ゲーム機、ＰＤＡ（ｐｅｒｓｏｎａｌ  Ｄｉｇｉｔａｌ  Ａｓｓｉｓｔａｎｔ、個人用携帯情報端末）などの携帯型電子装置が益々日常生活において不可欠な通信道具になっている。また、消費者のさまざまな要求に応じるために、各種の携帯型電子装置が、次々に市場に現れている。これらの携帯電子装置の大部分は、スライド機構を採用する。
【０００３】
スライド式携帯電子装置は一般的に、カバー部、ベース部、及び前記カバー部を前記ベース部に可動に組立てるスライド機構を備える。前記スライド機構は一般的に、前記ベース部に固定される固定部材と、前記カバー部に固定され且つ前記固定部材に可動に装着される滑動部材と、前記固定部材と前記滑動部材との間に位置し且つその両端が別々に前記固定部材及び前記滑動部材に固定される弾性部材と、を備える。
【０００４】
携帯電子装置を使用する時、手で押圧して前記カバー部を一定の距離だけ動かすと、前記カバー部が前記弾性部材の弾性力によって前記ベース部に対して自動的に開けられる。しかし、前記携帯電子装置の自動化率が低く、且つ弾性部材を介してカバー部とベース部との相対位置を制御するため、開閉動作が安定ではない。さらに、前記弾性部材を繰り返し使うと、前記弾性部材が消耗するためその弾性力が弱くなり、従って携帯電子装置を開閉する時の円滑性及び安定性が悪化する恐れがある。また、弾性部材を採用すると、携帯電子装置の組立てにおいても不便になる。
【発明の概要】
【発明が解決しようとする課題】
【０００５】
本発明の目的は、自動的に開くことができ、安定的に位置制御することができ、且つ操作及び組立が容易であるスライド式電子装置を提供することである。
【課題を解決するための手段】
【０００６】
本発明に係るスライド式電子装置は、カバー部と、内部に電源が配置されたベース部と、固定部材及び滑動部材を有するスライド機構と、を備え、前記固定部材は、前記カバー部を前記ベース部に可動に装着することに用いられ、前記ベース部に固定され、前記滑動部材は、前記カバー部に固定され且つ前記固定部材に可動に装着されてなる。前記滑動部材及び前記固定部材は、互いに反発し合う磁場をそれぞれ生じる構成であり、それによって、前記固定部材に対して前記滑動部材を浮かし、前記スライド機構は、前記滑動部材に固定され且つ前記電源に電気的に接続されるリニアモーターを更に備え、前記リニアモーターが通電されると、前記滑動部材を駆動して前記固定部材に対して滑動させ、前記固定部材は、互いに平行な第一表面及び第二表面を備える薄板であり、前記固定部材の対向する２つの端部は、前記第二表面に向かって一の側へ湾曲して２つの平行するガイド溝を形成し、前記滑動部材は、前記固定部材に対向する対向面を有し、前記滑動部材の対向する２つの辺部は、前記対向面に向かって他の側へ湾曲して、前記２つのガイド溝に対応する２つのスライドレールを形成し、前記滑動部材を前記固定部材の前記ガイド溝に沿って滑動させ、前記固定部材の中央部分には、前記第二表面から前記第一表面へ向かって凹所が形成され、前記リニアモーターと対応する収容部を形成する。
【発明の効果】
【０００７】
従来の技術と比べて、本発明に係るスライド式電子装置は、従来のスライド機構の代わりに磁気浮上式のスライド機構を採用して、前記カバー部を前記ベース部に対しての自動的に開けさせ、且つ同じな磁性であると排斥する原理によって、前記滑動部材を前記固定部材３１に接触しなかったままで滑動させるため、前記滑動部材と前記固定部材との間に摩擦が生じなく、従って前記スライド式電子装置を開合する時の流暢性及び安定性が非常に優れる。また、前記磁気浮上式のスライド機構を採用すると、従来のスライド機構のように、繰り返し使うと弾性部材の弾性が弱くなって位置制御が不安定になる恐れがない。
【図面の簡単な説明】
【０００８】
【図１】本発明の実施形態に係るスライド式電子装置の立体図である。
【図２】図１に示すスライド式電子装置において、カバー部がベース部に対してスライドする状態を示す立体図である。
【図３】本発明の実施形態に係るスライド式電子装置の立体分解図である。
【図４】本発明の実施形態に係るスライド式電子装置を別の方向からみた立体分解図である。
【図５】本発明の実施形態に係るスライド式電子装置のスライド機構の固定部材の立体図である。
【図６】本発明の実施形態に係るスライド式電子装置のスライド機構の滑動部材の立体図である。
【図７】本発明の実施形態に係るスライド式電子装置の機能ブロック図である。
【発明を実施するための形態】
【０００９】
本発明に係るスライド式電子装置１００は、スライド式の携帯電話、ゲーム機やＰＤＡ（ｐｅｒｓｏｎａｌ  Ｄｉｇｉｔａｌ  Ａｓｓｉｓｔａｎｔ、個人用携帯情報端末）などの各種のスライド式の携帯型電子装置を含む。以下、携帯電話を例として説明する。
【００１０】
図１、図２及び図３を参照すると、本発明の実施形態に係るスライド式電子装置１００は、カバー部１０、ベース部５０、及び前記カバー部１０を前記ベース部５０に可動に装着するスライド機構３０を備える。
【００１１】
前記カバー部１０は、情報を表示するための略矩形のディスプレイ部１６が設置された略矩形板状である。
【００１２】
図４及び図５を一緒に参照すると、前記スライド機構３０は、前記ベース部５０に固定される細長い薄板である固定部材３１、前記固定部材３１に可動に装着される滑動部材３５及びリニアモーター３６を備える。
【００１３】
前記固定部材３１は、コイル（図示せず）を有し且つ金属などの硬質導電材料で一体成型されるため、電流を流すと電磁場を発生できる。前記固定部材３１は、前記スライド式電子装置１００の内部に配置された回路基板（図示せず）に電気的に接続されるか又は電源に直接接続されて通電される。
【００１４】
前記固定部材３１は、略平行する第一表面３１１及び第二表面３１２を備える。前記固定部材３１の中央部分が前記第二表面３１２から前記第一表面３１１に向かって凹所を形成するため、前記第二表面３１２に収容部３１２１が形成される。前記固定部材３１の対向する２つの端部は、内側へ湾曲して平行する２つのガイド溝３１４を形成する。前記滑動部材３５は、前記ガイド溝３１４を介して前記固定部材３１に可動に装着されるから、前記ガイド溝３１４に限定された経路に沿って往復滑動することができる。
【００１５】
図６を一緒に参照すると、前記滑動部材３５は、前記カバー部１０に固定され且つ対向面３５１を有する略矩形の磁性薄板である。前記滑動部材３５の対向する２つの辺部は、外側に向かって湾曲して前記ガイド溝３１４に対応し、且つ互いに平行に形成された２つのスライドレール３５２を形成する。前記滑動部材３５は、前記スライドレール３５２を介して前記２つのガイド溝３１４に装着され、且つ前記ガイド溝３１４に沿って往復滑動することができる。本実施形態において、前記滑動部材３５は、電磁鉄（永久磁石）である。なお、この実施例では、固定部材は電磁石を備える構成であり、滑動部材３５は永久磁石を備える構成であるが、固定部材は永久磁石を備える構成であり、滑動部材３５は電磁石を備える構成であってもよい。
【００１６】
前記リニアモーター３６は、前記滑動部材３５の対向面３５１の中央位置に固定されるため、前記滑動部材３５が前記固定部材３１のガイド溝３１４に沿って滑動する時、前記リニアモーター３６は、前記固定部材３１の収容部３１２１を通過するから前記固定部材３１に衝撃を与えることはない。前記リニアモーター３６は、前記ベース部５０内に配置された電源（図示せず）に直接電気的に接続されて通電される。前記リニアモーター３６が作動すると、前記滑動部材３５を連動して前記固定部材３１に対して滑動させる。
【００１７】
前記スライド式電子装置１００の主体である前記ベース部５０は、略矩形であって、その内部に配置された電源（図示せず）は、前記ディスプレイ部１６、前記固定部材３１及び前記リニアモーター３６に電気的に接続して電気エネルギーを供給する。前記ベース部５０の内側表面には、固定部材装着部５２及び前記固定部材装着部５２の近傍に位置するボタン部５６が設けられる。前記固定部材装着部５２は、前記ベース部５０の内側表面に形成された凹所であり、且つ前記スライド機構３０の固定部材３１を固定することに用いられる略矩形の凹溝である。前記ボタン部５６は、前記スライド式電子装置１００に対して入出力することに用いられる複数のボタン（図示せず）を備える。例えば、前記ボタン部５６に設置されたボタン又は前記スライド式電子装置１００の周辺に設置された機能ボタンによって前記リニアモーター３６を制御する。
【００１８】
前記スライド式電子装置１００を組み立てる時、先ず、前記スライド機構３０を組み立てる。即ち、前記固定部材３１の第二表面３１２と前記滑動部材３５の対向面３５１を対向配置して、前記滑動部材３５の２つのスライドレール３５２を前記固定部材３１の２つのガイド溝３１４にそれぞれ挿入して嵌合させ、前記滑動部材３５が前記固定部材３１のガイド溝３１４に沿って往復滑動することができる。
【００１９】
次いで、前記固定部材３１の収容部３１２１と対応するように前記リニアモーター３６を前記滑動部材３５の対向面３５１の略中央位置に固定すると、前記滑動部材３５が前記固定部材３１のガイド溝３１４に沿って滑動する時、前記リニアモーター３６は、前記固定部材３１の収容部３１２１を通過するから前記固定部材３１に衝撃を与えない。更に前記カバー部１０が前記ベース部５０に対して往復滑動することができる。
【００２０】
次いで、前記スライド機構３０の固定部材３１を前記ベース部５０の固定部材装着部５２に固定するとともに、前記スライド機構３０の滑動部材３５を前記カバー部１０に固定して、前記カバー部１０のディスプレイ部１６、前記固定部材３１及び前記リニアモーター３６を前記ベース部５０内に配置された電源に電気的に接続して、前記スライド式電子装置１００の組立を完成する。
【００２１】
図７は、本発明の実施形態に係るスライド式電子装置１００が作動する時の機能ブロック図である。前記スライド式電子装置１００内部の電源は、前記固定部材３１、前記リニアモーター３６及びディスプレイ部１６に電気的に接続する。
【００２２】
前記スライド式電子装置１００を開ける時、前記ボタン部５６のボタン又は前記スライド式電子装置１００の周辺に設置された機能ボタンを押すと、前記電源は、前記固定部材３１及び前記リニアモーター３６に電気エネルギーを提供する。前記固定部材３１が通電されると、前記滑動部材３５と同じ磁性を持つ電磁場を生成し、同じ磁性であると反発する原理によって、前記滑動部材３５を前記ガイド溝３１４内に浮かす。前記リニアモーター３６は、前記滑動部材３５を連動して前記固定部材３１に対して滑動させて、前記カバー部１０が前記ベース部５０に対して開けられる。
【００２３】
前記スライド式電子装置１００を閉じる時、前記スライド式電子装置１００の周辺に設置された機能ボタンを押すと、前記電源は、前記固定部材３１及び前記リニアモーター３６に電気エネルギーを提供する。前記固定部材３１が通電されると、前記滑動部材３５と同じな磁性を持つ電磁場を生成し、同じな磁性であると反発する原理によって、前記滑動部材３５を前記ガイド溝３１４内に浮かす。前記リニアモーター３６は、前記滑動部材３５を連動して前記固定部材３１に対して滑動させて、前記カバー部１０が最初の位置に戻る。又は手動で前記カバー部１０を最初の位置まで滑動させて前記カバー部１０と前記ベース部５０を閉じる。
【００２４】
前記スライド式電子装置１００の電源で前記固定部材３１に電気エネルギーを直接供給することに限定されなく、別の内蔵電池を配置して電気エネルギーを供給することもできる。
【００２５】
前記スライド式電子装置１００は、従来のスライド機構の代わりに磁気浮上式のスライド機構を採用して、前記カバー部１０を前記ベース部５０に対しての自動的に開けさせ、且つ同じな磁性であると反発する原理によって、前記滑動部材３５を前記固定部材３１に接触しない状態で滑動させるため、前記滑動部材３５と前記固定部材３１との間に摩擦が生じなく、従って前記スライド式電子装置１００を開合する時の円滑性及び安定性が非常に優れている。また、前記磁気浮上式のスライド機構を採用すると、従来のスライド機構のように、繰り返し使うと弾性部材の弾性が弱くなって位置制御が不安定になる恐れがない。
【００２６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２７】
１００  スライド式電子装置
１０  カバー部
１６  ディスプレイ部
３０  スライド機構
３１  固定部材
３１１  第一表面
３１２  第二表面
３１２１  収容部
３１４  ガイド溝
３５  滑動部材
３５１  対向面
３５２  スライドレール
３６  リニアモーター
５０  ベース部
５２  固定部材装着部
５６  ボタン部
【図１】
0005161146.tif 000002
【図２】
0005161146.tif 000003
【図３】
0005161146.tif 000004
【図４】
0005161146.tif 000005
【図５】
0005161146.tif 000006
【図６】
0005161146.tif 000007
【図７】
0005161146.tif 000008